(57)【要約】      （修正有）【課題】箱体に収納して使用する仕切りにおいて、小間の数や大きさを変更することができる仕切り付き箱体を提供する。【解決手段】仕切り３０は、立設部３２と、立設部３２から連設された枠構成部４０、５０、７０、８０と、枠構成部４０、５０を立設部３２に固定するための固定部６０と、枠構成部７０、８０を立設部３２に固定するための固定部９０とを有している。立設部３２は、正面板部３４と正面板部３４の上辺から折れ線を介して連設された背面板部とを有し、枠構成部４０、５０、７０、８０においては、３つの板状部が一列に配設されている。仕切り付き箱体Ａは、仕切り３０と、仕切り３０を収納する箱体１０とを有している。各枠構成部における隣接する板状部間の境界位置を立設部３２側に押し込むことにより、少なくとも１つの板状部が立設部と重なった状態となり、小間の数や大きさが変更される。【選択図】図２
0003193461.tif 000002
【実用新案登録請求の範囲】
【請求項１】
箱体に収納して使用する箱体用仕切り（３０、３０’）であって、
横方向に単位長さのＮ倍（Ｎは３以上の整数）の長さを有する正面板部（３４）と、正面板部の上辺から折り返して正面板部の背面側に設けられた背面板部で、横方向に正面板部の横方向の長さと同じ長さを有する背面板部（３６）とを有する立設部（３２）と、
正面板部の右側面側の端部から連設された第１枠構成部で、横方向に単位長さを有する板状部（４２、４４、４６）をＭ１個（Ｍ１は３以上の整数）一列に連設することにより形成された第１枠構成部（４０）と、
背面板部の右側面側の端部から連設された第２枠構成部で、横方向に単位長さを有する板状部（５２、５４、５６）をＭ１個一列に連設することにより形成された第２枠構成部（５０）と、
第１枠構成部において正面板部側とは反対側の端部に位置する板状部である第１端部板状部（４６）と、第２枠構成部において背面板部側とは反対側の端部に位置する板状部である第２端部板状部（５６）とに折れ線を介して連設された第１固定部で、第１端部板状部から折れ線を介して連設され、正面板部に接着された第１正面固定部（６２）と、第２端部板状部から折れ線を介して連設され、背面板部に接着された第１背面固定部（６４）と、第１正面固定部と第１背面固定部の間に折れ線を介して設けられ、立設部の上端に設けられる第１連結部（６６）とを有する第１固定部（６０）と、
正面板部の左側面側の端部から連設された第３枠構成部で、横方向に単位長さを有する板状部（７２、７４、７６、７８）をＭ２個（Ｍ２は３以上の整数）一列に連設することにより形成された第３枠構成部（７０）と、
背面板部の左側面側の端部から連設された第４枠構成部で、横方向に単位長さを有する板状部（８２、８４、８６、８８）をＭ２個一列に連設することにより形成された第４枠構成部（８０）と、
第３枠構成部において正面板部側とは反対側の端部に位置する板状部である第３端部板状部（７６、７８）と、第４枠構成部において背面板部側とは反対側の端部に位置する板状部である第４端部板状部（８６、８８）とに折れ線を介して連設された第２固定部で、第３端部板状部から折れ線を介して連設され、正面板部に接着された第２正面固定部（９２）と、第４端部板状部から折れ線を介して連設され、背面板部に接着された第２背面固定部（９４）と、第２正面固定部と第２背面固定部の間に折れ線を介して設けられ、立設部の上端に設けられる第２連結部（９６）とを有する第２固定部（９０）と、
を有し、
箱体用仕切りは、シート状のブランクにより形成され、
上記Ｎは、（Ｍ１＋Ｍ２−３）の値であり、
第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４構成部の横方向の両側の端部間の領域とにより四角枠状に形成され、
第１枠構成部と第２枠構成部と第３枠構成部と第４枠構成部の各枠構成部において、隣接する板状部間の境界位置を立設部側に押し込むことにより、少なくとも１つの板状部が立設部と重なった状態となることを特徴とする箱体用仕切り。
【請求項２】
仕切り付き箱体であって、
請求項１に記載の箱体用仕切りと、
箱体用仕切りを収納する収納空間を備えた箱体（１０）と、
を有し、
箱体の収納空間は、左右方向に単位長さ×Ｎ個分の長さを有するとともに、前後方向に単位長さ×２個分の長さを有することを特徴とする仕切り付き箱体。
【請求項３】
上記Ｎの数と、Ｍ１の数と、Ｍ２の数とが、いずれも３であり、
仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成されている状態において、６つであることを特徴とする請求項２に記載の仕切り付き箱体。
【請求項４】
上記Ｍ１の数とＭ２の数の一方が３で他方が４であり、上記Ｎの数が４であり、
仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成されている状態において、６つであり、６つの小間のうち、Ｍ１とＭ２において数が４である枠構成部により形成される小間は、上面視において一辺の長さが単位長さの正方形をなす単位容積の略２倍の容積を有することを特徴とする請求項２に記載の仕切り付き箱体。
【請求項５】
箱体は、方形状の底面部（１２）と、底面部の正面側の辺部に沿って立設した正面壁部（１３ａ−１）と、底面部の左側面側の辺部に沿って立設した左側壁部（１３ｂ−１）と、底面部の右側面側の辺部に沿って立設した右側壁部（１３ｃ−１）と、底面部の背面側の辺部に沿って立設した背面壁部（１３ｄ−１）とを有し、左側壁部の内側の面と右側壁部の内側の面の間の長さが、単位長さ×Ｎ個分の長さであり、正面壁部の内側の面と背面壁部の内側の面の間の長さが、単位長さ×２個分の長さであることを特徴とする請求項２又は３又は４に記載の仕切り付き箱体。
【請求項６】
箱体に収納して使用する箱体用仕切り（１４０、１４０’）であって、
横方向に単位長さのＮ倍（Ｎは３以上の整数）の長さを有する正面板部（３４）と、正面板部の上辺から折り返して正面板部の背面側に設けられた背面板部で、横方向に正面板部の横方向の長さと同じ長さを有する背面板部（３６）とを有する立設部（３２）と、
正面板部の右側面側の端部から連設された第１枠構成部で、横方向に単位長さを有する板状部（４２、４４、４６）をＭ１個（Ｍ１は３以上の整数）一列に連設することにより形成された第１枠構成部（４０）と、
背面板部の右側面側の端部から連設された第２枠構成部で、横方向に単位長さを有する板状部（５２、５４、５６）をＭ１個一列に連設することにより形成された第２枠構成部（５０）と、
第１枠構成部において正面板部側とは反対側の端部に位置する板状部である第１端部板状部（４６）と、第２枠構成部において背面板部側とは反対側の端部に位置する板状部である第２端部板状部（５６）とに折れ線を介して連設された第１固定部で、第１端部板状部から折れ線を介して連設され、正面板部に接着された第１正面固定部（６２）と、第２端部板状部から折れ線を介して連設され、背面板部に接着された第１背面固定部（６４）と、第１正面固定部と第１背面固定部の間に折れ線を介して設けられ、立設部の上端に設けられる第１連結部（６６）とを有する第１固定部（６０）と、
正面板部の左側面側の端部から連設された第３枠構成部で、横方向に単位長さを有する板状部（７２、７４、７６、７８）をＭ２個（Ｍ２は３以上の整数）一列に連設することにより形成された第３枠構成部（７０）と、
背面板部の左側面側の端部から連設された第４枠構成部で、横方向に単位長さを有する板状部（８２、８４、８６、８８）をＭ２個一列に連設することにより形成された第４枠構成部（８０）と、
第３枠構成部において正面板部側とは反対側の端部に位置する板状部である第３端部板状部（７６、７８）と、第４枠構成部において背面板部側とは反対側の端部に位置する板状部である第４端部板状部（８６、８８）とに折れ線を介して連設された第２固定部で、第３端部板状部から折れ線を介して連設され、正面板部に接着された第２正面固定部（９２）と、第４端部板状部から折れ線を介して連設され、背面板部に接着された第２背面固定部（９４）と、第２正面固定部と第２背面固定部の間に折れ線を介して設けられ、立設部の上端に設けられる第２連結部（９６）とを有する第２固定部（９０）と、
立設部の正面板部の下辺から折れ線を介して連設され略水平方向に設けられた接続部（１００）と、
接続部の正面側の辺部から立設した支持板部で、横方向に単位長さのＪ倍（Ｊは１以上の整数）の幅を有する支持板部（１０５）と、
支持板部の右側面側の端部から連設された第１枠部で、横方向に単位長さを有する板状部をＭ３個（Ｍ３は２の倍数で３以上の整数）一列に連設することにより形成された第１枠部（１１０Ｗ）と、
第１枠部における支持板部とは反対側の端部に位置する板状部（１１８）から連設された第１糊代部で、支持板部に接着された第１糊代部（１１９）と、
支持板部の左側面側の端部から連設された第２枠部で、横方向に単位長さを有する板状部をＭ４個（Ｍ４は２の倍数で３以上の整数）一列に連設することにより形成された第２枠部（１２０Ｗ）と、
第２枠部における支持板部とは反対側の端部に位置する板状部（１２８、１３２）から連設された第２糊代部で、支持板部に接着された第２糊代部（１２９、１３４）と、
を有し、
箱体用仕切りは、シート状のブランクにより形成され、
上記Ｎは、（Ｍ１＋Ｍ２−３）の値であるとともに、Ｌ＋（Ｍ３−２）／２＋（Ｍ４−２）／２以上の値であり、
第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４構成部の横方向の両側の端部間の領域とにより四角枠状に形成され、
第１枠構成部と第２枠構成部と第３枠構成部と第４枠構成部の各枠構成部において、隣接する板状部間の境界位置を立設部側に押し込むことにより、少なくとも１つの板状部が立設部と重なった状態となり、
第１枠部により四角枠状に形成され、第１枠部において、隣接する板状部間の境界位置を第１枠部における反対側に押し込むことにより少なくとも１つの板状部が他の板状部と重なった状態となり、
第２枠部により四角枠状に形成され、第２枠部において、隣接する板状部間の境界位置を第２枠部における反対側に押し込むことにより少なくとも１つの板状部が他の板状部と重なった状態となることを特徴とする箱体用仕切り。
【請求項７】
仕切り付き箱体であって、
請求項６に記載の箱体用仕切りと、
箱体用仕切りを収納する収納空間を備えた箱体（１０）と、
を有し、
箱体の収納空間は、左右方向に単位長さ×Ｎ個分の長さを有するとともに、前後方向に単位長さ×３個分の長さを有することを特徴とする仕切り付き箱体。
【請求項８】
上記Ｎの数と、Ｍ１の数と、Ｍ２の数とが、いずれも３であり、Ｌの数が１であり、Ｍ３の数と、Ｍ４の数とが、いずれも４であり、
仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成され、第１枠部により四角枠状に形成され、第２枠部により四角枠状に形成されている状態において、９つであることを特徴とする請求項７に記載の仕切り付き箱体。
【請求項９】
上記Ｍ１の数とＭ２の数の一方が３で他方が４であり、上記Ｎの数が４であり、上記Ｌの数が１であり、上記Ｍ３の数とＭ４の数の一方が４であり他方が６であり、
仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成され、第１枠部により四角枠状に形成され、第２枠部により四角枠状に形成されている状態において、９つであり、９つの小間のうち、Ｍ１とＭ２において数が４である枠構成部により形成される小間と、Ｍ３とＭ４において数が６である枠部により形成される小間は、上面視において一辺の長さが単位長さの正方形をなす単位容積の略２倍の容積を有することを特徴とする請求項７に記載の仕切り付き箱体。
【請求項１０】
箱体は、方形状の底面部（１２）と、底面部の正面側の辺部に沿って立設した正面壁部（１３ａ−１）と、底面部の左側面側の辺部に沿って立設した左側壁部（１３ｂ−１）と、底面部の右側面側の辺部に沿って立設した右側壁部（１３ｃ−１）と、底面部の背面側の辺部に沿って立設した背面壁部（１３ｄ−１）とを有し、左側壁部の内側の面と右側壁部の内側の面の間の長さが、単位長さ×Ｎ個分の長さであり、正面壁部の内側の面と背面壁部の内側の面の間の長さが、単位長さ×３個分の長さであることを特徴とする請求項７又は８又は９に記載の仕切り付き箱体。
【考案の詳細な説明】
【技術分野】
【０００１】
本考案は、箱体に用いる仕切りや、仕切りを備えた箱体に関するものである。
【背景技術】
【０００２】
従来より、箱に用いる仕切りとして、特許文献１に示すものが存在する。すなわち、特許文献１には、図８、図９に示す包装用仕切り５０が開示され、仕切り５０は、二つの仕切り構成部５１、５１で形成されており、各仕切り構成部５１は、第１のベース部５２、折曲げ部５３、第２のベース部５４とを有している。例えば、特許文献１の図９に示す仕切り５０は、計１０個の小間を有している。
【先行技術文献】
【特許文献】
【０００３】
【特許文献１】特開平７−１６５２３３号公報
【考案の概要】
【考案が解決しようとする課題】
【０００４】
しかし、特許文献１に記載の仕切りにおいては、小間の数や大きさを変更することができないという問題があった。
【０００５】
そこで、本考案が解決しようとする問題点は、箱体に用いる仕切りや仕切り付き箱体において、小間の数や大きさを変更することができる箱体用仕切り及び仕切り付き箱体を提供することを目的とする。
【課題を解決するための手段】
【０００６】
本考案は上記問題点を解決するために創作されたものであって、第１には、箱体に収納して使用する箱体用仕切り（３０、３０’）であって、横方向に単位長さのＮ倍（Ｎは３以上の整数）の長さを有する正面板部（３４）と、正面板部の上辺から折り返して正面板部の背面側に設けられた背面板部で、横方向に正面板部の横方向の長さと同じ長さを有する背面板部（３６）とを有する立設部（３２）と、正面板部の右側面側の端部から連設された第１枠構成部で、横方向に単位長さを有する板状部（４２、４４、４６）をＭ１個（Ｍ１は３以上の整数）一列に連設することにより形成された第１枠構成部（４０）と、
背面板部の右側面側の端部から連設された第２枠構成部で、横方向に単位長さを有する板状部（５２、５４、５６）をＭ１個一列に連設することにより形成された第２枠構成部（５０）と、第１枠構成部において正面板部側とは反対側の端部に位置する板状部である第１端部板状部（４６）と、第２枠構成部において背面板部側とは反対側の端部に位置する板状部である第２端部板状部（５６）とに折れ線を介して連設された第１固定部で、第１端部板状部から折れ線を介して連設され、正面板部に接着された第１正面固定部（６２）と、第２端部板状部から折れ線を介して連設され、背面板部に接着された第１背面固定部（６４）と、第１正面固定部と第１背面固定部の間に折れ線を介して設けられ、立設部の上端に設けられる第１連結部（６６）とを有する第１固定部（６０）と、正面板部の左側面側の端部から連設された第３枠構成部で、横方向に単位長さを有する板状部（７２、７４、７６、７８）をＭ２個（Ｍ２は３以上の整数）一列に連設することにより形成された第３枠構成部（７０）と、背面板部の左側面側の端部から連設された第４枠構成部で、横方向に単位長さを有する板状部（８２、８４、８６、８８）をＭ２個一列に連設することにより形成された第４枠構成部（８０）と、第３枠構成部において正面板部側とは反対側の端部に位置する板状部である第３端部板状部（７６、７８）と、第４枠構成部において背面板部側とは反対側の端部に位置する板状部である第４端部板状部（８６、８８）とに折れ線を介して連設された第２固定部で、第３端部板状部から折れ線を介して連設され、正面板部に接着された第２正面固定部（９２）と、第４端部板状部から折れ線を介して連設され、背面板部に接着された第２背面固定部（９４）と、第２正面固定部と第２背面固定部の間に折れ線を介して設けられ、立設部の上端に設けられる第２連結部（９６）とを有する第２固定部（９０）と、を有し、箱体用仕切りは、シート状のブランクにより形成され、上記Ｎは、（Ｍ１＋Ｍ２−３）の値であり、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４構成部の横方向の両側の端部間の領域とにより四角枠状に形成され、第１枠構成部と第２枠構成部と第３枠構成部と第４枠構成部の各枠構成部において、隣接する板状部間の境界位置を立設部側に押し込むことにより、少なくとも１つの板状部が立設部と重なった状態となることを特徴とする。
【０００７】
第１の構成の箱体用仕切りにおいては、第１枠構成部と第２枠構成部と第３枠構成部と第４枠構成部の各枠構成部において、隣接する板状部間の境界位置を立設部側に押し込むことにより、少なくとも１つの板状部が立設部と重なった状態となるので、箱体用仕切りを箱体に収納して使用することにより、小間の数や大きさを変更することができる。特に、箱体の収納空間が、左右方向に単位長さ×Ｎ個分の長さを有するとともに、前後方向に単位長さ×２個分の長さを有する箱体に使用することにより、正面列と背面列とを有する仕切り付き箱体において、小間の数や大きさを変更することができる。
【０００８】
また、第２には、仕切り付き箱体であって、第１の構成の箱体用仕切りと、箱体用仕切りを収納する収納空間を備えた箱体（１０）と、を有し、箱体の収納空間は、左右方向に単位長さ×Ｎ個分の長さを有するとともに、前後方向に単位長さ×２個分の長さを有することを特徴とする。
【０００９】
第２の構成の仕切り付き箱体においては、第１枠構成部と第２枠構成部と第３枠構成部と第４枠構成部の各枠構成部において、隣接する板状部間の境界位置を立設部側に押し込むことにより、少なくとも１つの板状部が立設部と重なった状態となるので、仕切り付き箱体において、小間の数や大きさを変更することができる。すなわち、正面列と背面列とを有する仕切り付き箱体において、小間の数や大きさを変更することができる。
【００１０】
また、第３には、上記第２の構成において、上記Ｎの数と、Ｍ１の数と、Ｍ２の数とが、いずれも３であり、仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成されている状態において、６つであることを特徴とする。
【００１１】
また、第４には、上記第２の構成において、上記Ｍ１の数とＭ２の数の一方が３で他方が４であり、上記Ｎの数が４であり、仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成されている状態において、６つであり、６つの小間のうち、Ｍ１とＭ２において数が４である枠構成部により形成される小間は、上面視において一辺の長さが単位長さの正方形をなす単位容積の略２倍の容積を有することを特徴とする。
【００１２】
また、第５には、上記第２から第４までのいずれかの構成において、箱体は、方形状の底面部（１２）と、底面部の正面側の辺部に沿って立設した正面壁部（１３ａ−１）と、底面部の左側面側の辺部に沿って立設した左側壁部（１３ｂ−１）と、底面部の右側面側の辺部に沿って立設した右側壁部（１３ｃ−１）と、底面部の背面側の辺部に沿って立設した背面壁部（１３ｄ−１）とを有し、左側壁部の内側の面と右側壁部の内側の面の間の長さが、単位長さ×Ｎ個分の長さであり、正面壁部の内側の面と背面壁部の内側の面の間の長さが、単位長さ×２個分の長さであることを特徴とする。
【００１３】
また、第６には、箱体に収納して使用する箱体用仕切り（１４０、１４０’）であって、横方向に単位長さのＮ倍（Ｎは３以上の整数）の長さを有する正面板部（３４）と、正面板部の上辺から折り返して正面板部の背面側に設けられた背面板部で、横方向に正面板部の横方向の長さと同じ長さを有する背面板部（３６）とを有する立設部（３２）と、
正面板部の右側面側の端部から連設された第１枠構成部で、横方向に単位長さを有する板状部（４２、４４、４６）をＭ１個（Ｍ１は３以上の整数）一列に連設することにより形成された第１枠構成部（４０）と、背面板部の右側面側の端部から連設された第２枠構成部で、横方向に単位長さを有する板状部（５２、５４、５６）をＭ１個一列に連設することにより形成された第２枠構成部（５０）と、第１枠構成部において正面板部側とは反対側の端部に位置する板状部である第１端部板状部（４６）と、第２枠構成部において背面板部側とは反対側の端部に位置する板状部である第２端部板状部（５６）とに折れ線を介して連設された第１固定部で、第１端部板状部から折れ線を介して連設され、正面板部に接着された第１正面固定部（６２）と、第２端部板状部から折れ線を介して連設され、背面板部に接着された第１背面固定部（６４）と、第１正面固定部と第１背面固定部の間に折れ線を介して設けられ、立設部の上端に設けられる第１連結部（６６）とを有する第１固定部（６０）と、正面板部の左側面側の端部から連設された第３枠構成部で、横方向に単位長さを有する板状部（７２、７４、７６、７８）をＭ２個（Ｍ２は３以上の整数）一列に連設することにより形成された第３枠構成部（７０）と、背面板部の左側面側の端部から連設された第４枠構成部で、横方向に単位長さを有する板状部（８２、８４、８６、８８）をＭ２個一列に連設することにより形成された第４枠構成部（８０）と、第３枠構成部において正面板部側とは反対側の端部に位置する板状部である第３端部板状部（７６、７８）と、第４枠構成部において背面板部側とは反対側の端部に位置する板状部である第４端部板状部（８６、８８）とに折れ線を介して連設された第２固定部で、第３端部板状部から折れ線を介して連設され、正面板部に接着された第２正面固定部（９２）と、第４端部板状部から折れ線を介して連設され、背面板部に接着された第２背面固定部（９４）と、第２正面固定部と第２背面固定部の間に折れ線を介して設けられ、立設部の上端に設けられる第２連結部（９６）とを有する第２固定部（９０）と、立設部の正面板部の下辺から折れ線を介して連設され略水平方向に設けられた接続部（１００）と、接続部の正面側の辺部から立設した支持板部で、横方向に単位長さのＪ倍（Ｊは１以上の整数）の幅を有する支持板部（１０５）と、支持板部の右側面側の端部から連設された第１枠部で、横方向に単位長さを有する板状部をＭ３個（Ｍ３は２の倍数で３以上の整数）一列に連設することにより形成された第１枠部（１１０Ｗ）と、第１枠部における支持板部とは反対側の端部に位置する板状部（１１８）から連設された第１糊代部で、支持板部に接着された第１糊代部（１１９）と、支持板部の左側面側の端部から連設された第２枠部で、横方向に単位長さを有する板状部をＭ４個（Ｍ４は２の倍数で３以上の整数）一列に連設することにより形成された第２枠部（１２０Ｗ）と、第２枠部における支持板部とは反対側の端部に位置する板状部（１２８、１３２）から連設された第２糊代部で、支持板部に接着された第２糊代部（１２９、１３４）と、を有し、箱体用仕切りは、シート状のブランクにより形成され、上記Ｎは、（Ｍ１＋Ｍ２−３）の値であるとともに、Ｌ＋（Ｍ３−２）／２＋（Ｍ４−２）／２以上の値であり、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４構成部の横方向の両側の端部間の領域とにより四角枠状に形成され、第１枠構成部と第２枠構成部と第３枠構成部と第４枠構成部の各枠構成部において、隣接する板状部間の境界位置を立設部側に押し込むことにより、少なくとも１つの板状部が立設部と重なった状態となり、第１枠部により四角枠状に形成され、第１枠部において、隣接する板状部間の境界位置を第１枠部における反対側に押し込むことにより少なくとも１つの板状部が他の板状部と重なった状態となり、第２枠部により四角枠状に形成され、第２枠部において、隣接する板状部間の境界位置を第２枠部における反対側に押し込むことにより少なくとも１つの板状部が他の板状部と重なった状態となることを特徴とする。
【００１４】
第６の構成の箱体用仕切りにおいては、第１枠構成部と第２枠構成部と第３枠構成部と第４枠構成部の各枠構成部において、隣接する板状部間の境界位置を立設部側に押し込むことにより、少なくとも１つの板状部が立設部と重なった状態となり、第１枠部により四角枠状に形成され、第１枠部において、隣接する板状部間の境界位置を第１枠部における反対側に押し込むことにより少なくとも１つの板状部が他の板状部と重なった状態となり、第２枠部により四角枠状に形成され、第２枠部において、隣接する板状部間の境界位置を第２枠部における反対側に押し込むことにより少なくとも１つの板状部が他の板状部と重なった状態となるので、箱体用仕切りを箱体に収納して使用することにより、小間の数や大きさを変更することができる。特に、箱体の収納空間が、左右方向に単位長さ×Ｎ個分の長さを有するとともに、前後方向に単位長さ×３個分の長さを有する箱体に使用することにより、正面列と中央列と背面列とを有する仕切り付き箱体において、小間の数や大きさを変更することができる。
【００１５】
また、第７には、仕切り付き箱体であって、第６の構成の箱体用仕切りと、箱体用仕切りを収納する収納空間を備えた箱体（１０）と、を有し、箱体の収納空間は、左右方向に単位長さ×Ｎ個分の長さを有するとともに、前後方向に単位長さ×３個分の長さを有することを特徴とする。
【００１６】
第７の構成の仕切り付き箱体においては、第１枠構成部と第２枠構成部と第３枠構成部と第４枠構成部の各枠構成部において、隣接する板状部間の境界位置を立設部側に押し込むことにより、少なくとも１つの板状部が立設部と重なった状態となり、第１枠部により四角枠状に形成され、第１枠部において、隣接する板状部間の境界位置を第１枠部における反対側に押し込むことにより少なくとも１つの板状部が他の板状部と重なった状態となり、第２枠部により四角枠状に形成され、第２枠部において、隣接する板状部間の境界位置を第２枠部における反対側に押し込むことにより少なくとも１つの板状部が他の板状部と重なった状態となるので、仕切り付き箱体において、小間の数や大きさを変更することができる。すなわち、正面列と中央列と背面列とを有する仕切り付き箱体において、小間の数や大きさを変更することができる。
【００１７】
また、第８には、上記第７の構成において、上記Ｎの数と、Ｍ１の数と、Ｍ２の数とが、いずれも３であり、Ｌの数が１であり、Ｍ３の数と、Ｍ４の数とが、いずれも４であり、仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成され、第１枠部により四角枠状に形成され、第２枠部により四角枠状に形成されている状態において、９つであることを特徴とする。
【００１８】
また、第９には、上記第７の構成において、上記Ｍ１の数とＭ２の数の一方が３で他方が４であり、上記Ｎの数が４であり、上記Ｌの数が１であり、上記Ｍ３の数とＭ４の数の一方が４であり他方が６であり、仕切り付き箱体に設けられる小間の数が、第１枠構成部と正面板部における第１枠構成部の横方向の両側の端部間の領域とにより四角枠状に形成され、第２枠構成部と背面板部における第２枠構成部の横方向の両側の端部間の領域とにより四角枠状に形成され、第３枠構成部と正面板部における第３枠構成部の横方向の両側の端部間の領域とにより四角枠状に形成され、第４枠構成部と背面板部における第４枠構成部の横方向の両側の端部間の領域とにより四角枠状に形成され、第１枠部により四角枠状に形成され、第２枠部により四角枠状に形成されている状態において、９つであり、９つの小間のうち、Ｍ１とＭ２において数が４である枠構成部により形成される小間と、Ｍ３とＭ４において数が６である枠部により形成される小間は、上面視において一辺の長さが単位長さの正方形をなす単位容積の略２倍の容積を有することを特徴とする。
【００１９】
また、第１０には、上記第７から第９までのいずれかの構成において、箱体は、方形状の底面部（１２）と、底面部の正面側の辺部に沿って立設した正面壁部（１３ａ−１）と、底面部の左側面側の辺部に沿って立設した左側壁部（１３ｂ−１）と、底面部の右側面側の辺部に沿って立設した右側壁部（１３ｃ−１）と、底面部の背面側の辺部に沿って立設した背面壁部（１３ｄ−１）とを有し、左側壁部の内側の面と右側壁部の内側の面の間の長さが、単位長さ×Ｎ個分の長さであり、正面壁部の内側の面と背面壁部の内側の面の間の長さが、単位長さ×３個分の長さであることを特徴とする。
【考案の効果】
【００２０】
本考案に基づく箱体用仕切りによれば、箱体用仕切りを箱体に収納して使用することにより、小間の数や大きさを変更することができ、本校案に基づく仕切り付き箱体によれば、小間の数や大きさを変更することができる。特に、請求項１の箱体用仕切りや請求項２〜請求項５の仕切り付き箱体によれば、正面列と背面列とを有する仕切り付き箱体において、小間の数や大きさを変更することができ、また、請求項６の箱体用仕切りや請求項７〜１０の仕切り付き箱体によれば、正面列と中央列と背面列とを有する仕切り付き箱体において、小間の数や大きさを変更することができる。
【図面の簡単な説明】
【００２１】
【図１】仕切り付き箱体を示す斜視図である（実施例１）。
【図２】仕切り付き箱体の分解斜視図である（実施例１）。
【図３】箱本体部を示す後方斜視図である（実施例１）。
【図４】仕切りの展開図である（実施例１）。
【図５】仕切り付き箱体の使用状態図である（実施例１）。
【図６】仕切り付き箱体を示す斜視図である（実施例２）。
【図７】仕切り付き箱体の分解斜視図である（実施例２）。
【図８】仕切りの展開図である（実施例２）。
【図９】仕切り付き箱体の使用状態図である（実施例２）。
【図１０】仕切り付き箱体を示す斜視図である（実施例３）。
【図１１】仕切り付き箱体の分解斜視図である（実施例３）。
【図１２】仕切りの展開図である（実施例３）。
【図１３】仕切り付き箱体の使用状態図である（実施例３）。
【図１４】仕切りの展開図である（実施例４）。
【考案を実施するための形態】
【００２２】
本考案においては、箱体に用いる仕切りや仕切り付き箱体において、小間の数や大きさを変更することができる箱体用仕切り及び仕切り付き箱体を提供するという目的を以下のようにして実現した。
【実施例１】
【００２３】
本考案に基づく仕切り付き箱体Ａは、図１〜図３に示すように構成され、箱体１０と、箱体１０内に収納される仕切り（箱体用仕切り）３０とを有している。
【００２４】
ここで、箱体１０は、箱本体部１１と、箱本体部１１の内底面に設けられる板状部２８とを有している。箱本体部１１と板状部２８とは、１枚のシート状のブランク（具体的には段ボール（特に、両面段ボール））により形成されている。
【００２５】
箱本体部１１は、いわゆるＣ式の箱体であり、方形状の底面部１２と、底面部１２の正面側の辺部から形成された正面側構成部１３ａと、底面部１２の左側面側の辺部から形成された左側面側構成部１３ｂと、底面部１２の右側面側の辺部から形成された右側面側構成部１３ｃと、底面部１２の背面側の辺部から形成された背面側構成部１３ｄと、外正面部１４ａと外左側面部１４ｂ間に形成された第１折込み片部（図示せず）と、外正面部１４ａと外右側面部間に形成された第２折込み片部（図示せず）と、外背面部と外左側面部１４ｂ間に形成された第３折込み片部（図示せず）と、外背面部と外右側面部１４ｃ間に形成された第４折込み片部（図示せず）とを有している。箱体１０及び箱本体部１１は、上部が開口した箱体である。
【００２６】
正面側構成部１３ａは、底面部１２の正面側の辺部から折れ線を介して連設された外正面部１４ａと、外正面部１４ａの上辺から連設され、外正面部１４ａの上辺に沿って帯状に形成された帯状部１６ａと、帯状部１６ａの外正面部１４ａ側とは反対側の辺部から折れ線を介して連設された内正面部１８ａと、内正面部１８ａの下辺から折れ線を介して連設され、該内正面部１８ａの下辺に沿って帯状に形成され、底面部１２の上面に接する先端部２０ａとを有している。
【００２７】
左側面側構成部１３ｂは、底面部１２の左側面側の辺部から折れ線を介して連設された外左側面部１４ｂと、外左側面部１４ｂの上辺から連設され、外左側面部１４ｂの上辺に沿って帯状に形成された帯状部１６ｂと、帯状部１６ｂの外左側面部１４ｂ側とは反対側の辺部から折れ線を介して連設された内左側面部１８ｂと、内左側面部１８ｂの下辺から折れ線を介して連設され、該内左側面部１８ｂの下辺に沿って帯状に形成され、底面部１２の上面に接する先端部２０ｂとを有している。
【００２８】
右側面側構成部１３ｃは、底面部１２の右側面側の辺部から折れ線を介して連設された外右側面部１４ｃと、外右側面部１４ｃの上辺から連設され、外右側面部１４ｃの上辺に沿って帯状に形成された帯状部１６ｃと、帯状部１６ｃの外右側面部１４ｃ側とは反対側の辺部から折れ線を介して連設された内右側面部１８ｃと、内右側面部１８ｃの下辺から折れ線を介して連設され、該内右側面部１８ｃの下辺に沿って帯状に形成され、底面部１２の上面に接する先端部２０ｃとを有している。
【００２９】
背面側構成部１３ｄは、底面部１２の背面側の辺部から折れ線を介して連設された外背面部１４ｄと、外背面部１４ｄの上辺から連設され、外背面部１４ｄの上辺に沿って帯状に形成された帯状部１６ｄと、帯状部１６ｄの外背面部１４ｄ側とは反対側の辺部から折れ線を介して連設された内背面部１８ｄと、内背面部１８ｄの下辺から折れ線を介して連設され、該内背面部１８ｄの下辺に沿って帯状に形成され、底面部１２の上面に接する先端部２０ｄとを有している。
【００３０】
また、内正面部１８ａの左右の端部からはフラップ（図示せず）が折れ線を介して連設され、内背面部１８ｄの左右の端部からはフラップ（図示せず）が折れ線を介して連設されている。
【００３１】
箱本体部１１を組み立てた状態では、外正面部１４ａと外左側面部１４ｂと外右側面部１４ｃと外背面部１４ｄとが底面部１２に対して起立した状態で、内正面部１８ａが外正面部１４ａに対して平行で、内左側面部１８ｂが外左側面部１４ｂに対して平行で、内右側面部１８ｃが外右側面部１４ｃに対して平行で、内背面部１８ｄが外背面部１４ｄに対して平行となっていて、内正面部１８ａの左端から連設されたフラップと、折り返された状態の第１折込み片部と、内背面部１８ｄの左端から連設されたフラップと、折り返された状態の第３折込み片部とが、外左側面部１４ｂと内左側面部１８ｂ間に挟まれた状態であり、内正面部１８ａの右端から連設されたフラップと、折り返された状態の第２折込み片部と、内背面部１８ｄの右端から連設されたフラップと、折り返された状態の第４折込み片部とが、外右側面部１４ｃと内右側面部１８ｃ間に挟まれた状態となっている。また、先端部２０ａ〜２０ｄは、底面部１２の上面に接した状態となっている。以上のようにして、箱本体部１１は、上部が開口した容器状に組み立てられる。
【００３２】
箱本体部１１を組み立てた状態において、底面部１２の正面側の辺部に沿って立設した部分（特に、外正面部１４ａと、帯状部１６ａと、内正面部１８ａ）が正面壁部１３ａ−１となり、底面部１２の左側面側の辺部に沿って立設した部分（特に、外左側面部１４ｂと、帯状部１６ｂと、内左側面部１８ｂ）が左側壁部１３ｂ−１となり、底面部１２の右側面側の辺部に沿って立設した部分（特に、外右側面部１４ｃと、帯状部１６ｃと、内右側面部１８ｃ）が右側壁部１３ｃ−１となり、底面部１２の背面側の辺部に沿って立設した部分（特に、外背面部１４ｄと、帯状部１６ｄと、内背面部１８ｄ）が背面壁部１３ｄ−１となる。
【００３３】
また、板状部２８は、長方形状の板状を呈し、その大きさは、箱本体部１１の収納部の内底面に丁度収まる大きさを有し、板状部２８の長辺の長さＬ３０は、箱本体部１１の収納部の横方向の長手方向（左右方向）の長さＬ１０と同一又は若干小さく、また、板状部２８の短辺の長さＬ３２は、箱本体部１１の収納部の横方向の短手方向（前後方向）の長さＬ１２と同一又は若干小さく形成されている。長さＬ３０と長さＬ３２の比は、３：２（略３：２としてもよい）となっている。板状部２８は、箱本体部１１の内底面に設置して使用される。
【００３４】
箱体１０の収納部（すなわち、収納空間）の大きさは、仕切り３０が丁度収まる大きさを有し、箱体１０の収納部の横方向の長手方向（左右方向）の長さＬ１０は、仕切り３０の横方向の長手方向の長さＬ２０と同一又は若干大きく形成され、箱体１０の収納部の横方向の短手方向（前後方向）の長さＬ１２は、仕切り３０の横方向の短手方向の長さＬ２２と同一又は若干大きく形成されている。つまり、箱体１０の収納部は、左右方向には、３つの単位容積分の長さを有し、前後方向には、２つの単位容積分の長さを有している。つまり、箱体１０の収納部は、左右方向に長さＵ×Ｎ（Ｎ＝３）個分の長さを有するとともに、前後方向には長さＵの２個分の長さを有している。つまり、内左側面部１８ｂと内右側面部１８ｃ間の長さ（正面壁部１３ａ−１の内側の面と背面壁部１３ｄ−１の内側の面の間の長さ）が、Ｕ×Ｎ個分の長さであり、内正面部１８ａと内背面部１８ｄ間の長さ（左側壁部１３ｂ−１の内側の面と右側壁部１３ｃ−１の内側の面の間の長さ）が長さＵの２個分の長さを有している。
【００３５】
なお、箱体１０の収納部の横方向の長手方向の長さと、箱本体部１１の収納部の横方向の長手方向の長さとは同一であり、箱体１０の収納部の横方向の短手方向の長さと、箱本体部１１の収納部の横方向の短手方向の長さとは同一である。なお、長さＬ１０と長さＬ１２の比は、３：２（略３：２としてもよい）となっている。また、箱体１０の収納部の縦方向の長さは、仕切り３０の縦方向の長さＬ２４と略同一となっていて、仕切り３０を箱体１０内に収納した状態では、箱体１０の上端と仕切り３０の上端とは、高さ方向に略一致している。
【００３６】
次に、仕切り３０は、計４つの枠部４０Ｗ、５０Ｗ、７０Ｗ、８０Ｗを有するものであり、１枚のシート状のブランク（具体的には段ボール（特に、両面段ボール））により形成されている。
【００３７】
仕切り３０は、立設部３２と、立設部３２から連設された枠構成部４０、５０、７０、８０と、枠構成部４０、５０を立設部３２に固定するための固定部６０と、枠構成部７０、８０を立設部３２に固定するための固定部９０とを有している。つまり、枠部４０Ｗと枠部５０Ｗとが左右方向に間隔を介して設けられ、枠部７０Ｗと枠部８０Ｗとが左右方向に間隔を介して設けられ、枠部４０Ｗと枠部５０Ｗが前後方向に隣接して、枠部７０Ｗと枠部８０Ｗが前後方向に隣接している。仕切り３０の展開状態は、図４に示すように構成されている。
【００３８】
ここで、立設部３２は、正面板部３４と正面板部３４の上辺から折れ線を介して連設された背面板部３６とを有し、正面板部３４の背面板部３６側の辺部と背面板部３６の正面板部３４側の辺部には、横長長方形状の凹部が形成され、立設部３２の展開状態では、正面板部３２の凹部３４Ｋと背面板部３４の凹部３６Ｋとで１つの長方形状の開口部が形成されている。これらの凹部３４Ｋ、３６Ｋは、固定部６０、９０を立設部３２に固定した際に、固定部６０、９０の上端と立設部３２の上端の高さが略一致するように設けられている。つまり、凹部３４Ｋ、凹部３６Ｋの立設部３２の上辺に沿った長さ（左右方向の長さ）は、固定部６０の立設部３２の上辺に沿った長さＬ６０と固定部９０の立設部３２の上辺に沿った長さＬ９０の合計以上の長さを有していて、固定部６０と固定部９０は、左右方向に該凹部３４Ｋ、３６Ｋの位置に固定される。なお、長さＬ６０と長さＬ９０は、板状部４２等の横方向の長さＵの略半分の長さを有している。
【００３９】
また、立設部３２の左右方向の長さは、各枠構成部４０等における板状部４２等の横方向の長さ（単位長さ）Ｕの３倍の長さと一致した（略一致したとしてもよい）長さを有している。つまり、正面板部３４と背面板部３６とは、単位長さのＮ倍（Ｎ＝３）の長さを有している。なお、このＮは、Ｍ１＋Ｍ２−３の値（Ｍ１、Ｍ２は後述）となっている。
【００４０】
また、枠構成部（第１枠構成部）４０は、正面板部３４の右側面側の端部から折れ線を介して連設され、板状部４２、４４、４６が一列に形成されている。すなわち、枠構成部４０は、正面板部３４の右側面側の端部から連設された板状部４２と、板状部４２の正面板部３４とは反対側の辺部から折れ線を介して連設された板状部４４と、板状部４４の板状部４２とは反対側の辺部から折れ線を介して連設された板状部４６とを有している。つまり、枠構成部４０は、Ｍ１個（Ｍ１＝３）の板状部を有している。板状部４２、４４、４６は、横方向に同じ長さを有していて、長さＵを有している。
【００４１】
また、枠構成部（第２枠構成部）５０は、背面板部３６の右側面側の端部から折れ線を介して連設され、板状部５２、５４、５６が一列に形成されている。すなわち、枠構成部５０は、背面板部３６の右側面側の端部から連設された板状部５２と、板状部５２の背面板部３６とは反対側の辺部から折れ線を介して連設された板状部５４と、板状部５４の板状部５２とは反対側の辺部から折れ線を介して連設された板状部５６とを有している。つまり、枠構成部５０は、Ｍ１個（Ｍ１＝３）の板状部を有している。板状部５２、５４、５６は、横方向に同じ長さを有していて、長さＵを有している。また、仕切り３０の展開状態では、枠構成部５０は、枠構成部４０と直線状の切込みＫ１を介して互いに隣接している。つまり、仕切り３０の展開状態において、枠構成部４０と枠構成部５０とは切込みＫ１を介して対称に形成されている。
【００４２】
また、固定部（第１固定部）６０は、板状部４６及び板状部５６から折れ線を介して連設されている。固定部６０は、板状部（第１端部板状部）４６から連設された正面固定部（第１正面固定部）６２と、板状部（第２端部板状部）５６から連設された背面固定部（第１背面固定部）６４と、正面固定部６２と背面固定部６４間に設けられ、正面固定部６２から折れ線を介して連設されるとともに、背面固定部６４から折れ線を介して連設された連結部（第１連結部）６６とを有している。仕切り３０の展開状態では、固定部６０は全体に台形形状を呈し、連結部６６は、長方形状（仕切り３０の組立て状態では、左右方向に細長の長方形状）を呈し、連結部６６と板状部４６、５６の境界位置には、切込みＫ１と直角方向に切込みＫ３が形成されている。
【００４３】
仕切り３０を組み立てた状態においては、正面固定部６２は、正面板部３４に接着され、背面固定部６４は、背面板部３６に接着され、連結部６６は、立設部３２の凹部３４Ｋ、３６Ｋ内に配置される。すなわち、正面固定部６２と板状部４６間の境界位置が正面板部３４の右側面側の端部から長さＵ分の位置となるように正面固定部６２が正面板部３４に固定され、背面固定部６４と板状部５６間の境界位置が背面板部３６の右側面側の端部から長さＵ分の位置となるように背面固定部６４が背面板部３６に固定されている。これにより、板状部４２と板状部４６とは互いに平行となり、板状部４４と正面板部３４とは互いに平行になり、また、板状部５２と板状部５６とは互いに平行となり、板状部５４と背面板部３６とは互いに平行になる。また、固定部６０の固定部９０側の端部と固定部９０の固定部６０側の端部とは、互いに対向して接するあるいはわずかの隙間を介して対向している。
【００４４】
つまり、枠構成部４０と正面板部３４における枠構成部４０の横方向の両側の端部間の領域とにより四角枠状に形成され、該四角枠状の状態において、枠構成部４０における正面板部３４に隣接する板状部４２（第１枠構成部第１板状部）と、正面固定部６２に隣接する板状部４６（第１枠構成部第２板状部）とが互いに平行であり、枠構成部４０における板状部４２、４６以外の板状部が正面板部３４と互いに平行であり、枠構成部５０と背面板部３６における枠構成部５０の横方向の両側の端部間の領域とにより四角枠状に形成され、該四角枠状の状態において、枠構成部５０における背面板部３６に隣接する板状部５２（第２枠構成部第１板状部）と、背面固定部６４に隣接する板状部５６（第２枠構成部第２板状部）とが互いに平行であり、枠構成部５０における板状部５２、５６以外の板状部が背面板部３６と互いに平行となっている。
【００４５】
また、枠構成部（第３枠構成部）７０は、仕切り３０の展開状態において、正面板部３４を介して（つまり、正面板部３４の左右方向における中心線を介して）線対称に形成され、また、枠構成部８０は、背面板部３６を介して（つまり、背面板部３６の左右方向における中心線を介して）対称に形成されている。
【００４６】
すなわち、枠構成部７０は、正面板部３４の左側面側の端部から折れ線を介して連設され、板状部７２、７４、７６が一列に形成されている。すなわち、枠構成部７０は、正面板部３４の左側面側の端部から連設された板状部７２と、板状部７２の正面板部３４とは反対側の辺部から折れ線を介して連設された板状部７４と、板状部７４の板状部７２とは反対側の辺部から折れ線を介して連設された板状部７６とを有している。つまり、枠構成部７０は、Ｍ２個（Ｍ２＝３）の板状部を有している。板状部７２、７４、７６は、横方向に同じ長さを有していて、長さＵを有している。
【００４７】
また、枠構成部（第４枠構成部）８０は、背面板部３６の左側面側の端部から折れ線を介して連設され、板状部８２、８４、８６が一列に形成されている。すなわち、枠構成部８０は、背面板部３６の左側面側の端部から連設された板状部８２と、板状部８２の背面板部３６とは反対側の辺部から折れ線を介して連設された板状部８４と、板状部８４の板状部８２とは反対側の辺部から折れ線を介して連設された板状部８６とを有している。つまり、枠構成部８０は、Ｍ２個（Ｍ２＝３）の板状部を有している。板状部８２、８４、８６は、横方向に同じ長さを有していて、長さＵを有している。また、仕切り３０の展開状態では、枠構成部８０は、枠構成部７０と直線状の切込みＫ２を介して互いに隣接している。つまり、仕切り３０の展開状態において、枠構成部７０と枠構成部８０とは切込みＫ２を介して対称に形成されている。
【００４８】
板状部４２、４４、４６、５２、５４、５６、７２、７４、７６、８２、８４、８６（板状部４２〜８６）は、いずれも方形状に形成され、同大同形状に形成されている。なお、板状部４２〜８６は、正方形状を呈しているが、長方形状であってもよい。
【００４９】
また、固定部（第２固定部）９０は、仕切り３０の展開状態において、立設部３２の中心線を介して線対称に形成されている。
【００５０】
すなわち、固定部９０は、板状部７６及び板状部８６から折れ線を介して連設されている。固定部９０は、板状部（第３端部板状部）７６から連設された正面固定部（第２正面固定部）９２と、板状部（第４端部板状部）８６から連設された背面固定部９４と、正面固定部９２と背面固定部（第２背面固定部）９４間に設けられ、正面固定部９２から折れ線を介して連設されるとともに、背面固定部９４から折れ線を介して連設された連結部（第２連結部）９６とを有している。仕切り３０の展開状態では、固定部９０は全体に台形形状を呈し、連結部９６は、長方形状（仕切り３０の組立て状態では、左右方向に細長の長方形状）を呈し、連結部９６と板状部９６、９６の境界位置には、切込みＫ２と直角方向に切込みＫ４が形成されている。
【００５１】
仕切り３０を組み立てた状態においては、正面固定部９２は、正面板部３４に接着され、背面固定部９４は、背面板部３６に接着され、連結部９６は、立設部３２の凹部３４Ｋ、３６Ｋ内に配置される。すなわち、正面固定部９２と板状部７６間の境界位置が正面板部３４の左側面側の端部から長さＵ分の位置となるように正面固定部９２が正面板部３４に固定され、背面固定部９４と板状部８６間の境界位置が背面板部３６の左側面側の端部から長さＵ分の位置となるように背面固定部９４が背面板部３６に固定されている。これにより、板状部７２と板状部７６とは互いに平行となり、板状部７４と正面板部３４とは互いに平行になり、また、板状部８２と板状部８６とは互いに平行となり、板状部８４と背面板部３６とは互いに平行になる。
【００５２】
つまり、枠構成部７０と正面板部３４における枠構成部７０の横方向の両側の端部間の領域とにより四角枠状に形成され、該四角枠状の状態において、枠構成部７０における正面板部３４に隣接する板状部７２（第３枠構成部第１板状部）と、正面固定部９２に隣接する板状部７６（第３枠構成部第２板状部）とが互いに平行であり、枠構成部７０における板状部７２、７６以外の板状部が正面板部３４と互いに平行であり、枠構成部８０と背面板部３６における枠構成部８０の横方向の両側の端部間の領域とにより四角枠状に形成され、該四角枠状の状態において、枠構成部８０における背面板部３６に隣接する板状部８２（第４枠構成部第１板状部）と、背面固定部９４に隣接する板状部８６（第４枠構成部第２板状部）とが互いに平行であり、枠構成部８０における板状部８２、８６以外の板状部が背面板部３６と互いに平行となっている。
【００５３】
なお、枠部４０Ｗは、枠構成部４０と正面板部３４における正面固定部６２よりも右側面側の領域により構成され、枠部５０Ｗは、枠構成部５０と背面板部３６における背面固定部６４よりも右側面側の領域により構成され、枠部７０Ｗは、枠構成部７０と正面板部３４における正面固定部９２よりも左側面側の領域により構成され、枠部８０Ｗは、枠構成部８０と背面板部９６における背面固定部９４よりも左側面側の領域により構成される。
【００５４】
次に、仕切り付き箱体Ａの使用状態について説明する。仕切り付き箱体Ａを使用するには、図１に示すように、仕切り３０を箱体１０の収納部内に収納して使用する。図１の状態では、各枠構成部４０、５０、７０、８０による小間（すなわち、収納空間）とともに、枠構成部４０と枠構成部７０間に小間が形成され、さらに、枠構成部５０と枠構成部８０間に小間が形成され、計６つの小間が形成される。つまり、３×２の計６つ小間が形成される。６つの各小間の大きさは同一（略同一としてもよい）であり、図１の状態における各小間の大きさを単位容積とする。上面視において一辺の長さが単位長さの正方形をなす単位容積を有する収納空間が６つ形成される。
【００５５】
なお、箱体１０の収納部の大きさは、仕切り３０が丁度収まるように形成されているので、図１の状態（枠構成部における隣接する板状部間の境界（つまり、角部）が横方向の外側から見て凹んでいない状態（立設部３２側に押し込まれていない状態））では、枠構成部において箱体１０の内側の面に面した板状部と箱体１０の内側の面の間には隙間は形成されない。例えば、板状部７２と内左側面部１８ｂ間や板状部７４と内正面部１８ａ間や板状部４４と内正面部１８ａ間や板状部４２と内右側面部１８ｃ間や板状部５２と内右側面部１８ｃ間や板状部５４と内背面部１８ｄ間や板状部８４と内背面部１８ｄ間や板状部８２と内左側面部１８ｂ間には隙間は形成されない。
【００５６】
次に、小間の大きさ・形状を変更するには、枠構成部における角部を立設部３２側に押し込んで該角部が横方向の外側から見て凹んだ状態とし、板状部が立設部３２と重なり合った状態とする。つまり、板状部と正面板部３４又は背面板部３６とを重なり合わせることにより、枠構成部の角部を対角方向の角部と一致させる。例えば、図５に示すように、板状部７４と板状部７６間の角部を立設部３２側に押し込んで、板状部７６が立設部３２（つまり、正面板部３４）に重なり合った状態とすることにより、２つの角部が一致し、板状部７２と板状部７４とが重なり合って、枠部７０Ｗによる小間が除かれて、２つの単位容積を有する小間ＫＭ１が形成される。
【００５７】
同様に、板状部８４と板状部８６間の角部を立設部３２側に押し込んで、板状部８６が立設部３２（つまり、背面板部３６）に重なり合った状態とすることにより、２つの角部が一致し、板状部８２と板状部８４とが重なり合って、枠部８０Ｗによる小間が除かれて、２つの単位容積を有する小間ＫＭ２が形成される。
【００５８】
これにより、図５に示す状態では、２つの単位容積を有する２つの小間と１つの単位容積を有する２つの小間を有する構成とすることができる。以上のようにして、仕切り付き箱体Ａにおいて、小間の数や大きさを変更することができる。
【実施例２】
【００５９】
次に、実施例２の仕切り付き箱体について説明する。実施例２の仕切り付き箱体Ｂは、図６〜図９に示すように構成され、箱体１０と、箱体１０内に収納される仕切り（箱体用仕切り）３０’とを有している。
【００６０】
ここで、箱体１０は、箱本体部１１と、箱本体部１１の内底面に設けられる板状部２８とを有している。箱本体部１１と板状部２８とは、それぞれ紙材、特に、段ボール材により形成されている。この箱体１０の構成は、箱本体部１１の収納部の横方向の長手方向（左右方向）の長さＬ１０と、箱本体部１１の収納部の横方向の短手方向（前後方向）の長さＬ１２の比が、４：２（略４：２としてもよい）である以外は実施例１の箱本体部１１と同様の構成であるので、詳しい説明を省略する。なお、箱体１０の収納部の横方向の長手方向の長さと、箱本体部１１の収納部の横方向の長手方向の長さとは同一であり、箱体１０の収納部の横方向の短手方向の長さと、箱本体部１１の収納部の横方向の短手方向の長さとは同一である。
【００６１】
また、箱体１０の収納部（すなわち、収納空間）の大きさは、仕切り３０が丁度収まる大きさを有し、箱体１０の収納部の横方向の長手方向（左右方向）の長さＬ１０は、仕切り３０の横方向の長手方向の長さＬ２０と同一又は若干大きく形成され、箱体１０の収納部の横方向の短手方向（前後方向）の長さＬ１２は、仕切り３０の横方向の短手方向の長さＬ２２と同一又は若干大きく形成されている。つまり、箱体１０の収納部は、左右方向には、４つの単位容積分の長さを有し、前後方向には、２つの単位容積分の長さを有している。つまり、箱体１０の収納部は、左右方向に長さＵ×Ｎ（Ｎ＝４）個分の長さを有するとともに、前後方向には長さＵの２個分の長さを有している。つまり、内左側面部１８ｂと内右側面部１８ｃ間の長さ（正面壁部の内側の面と背面壁部の内側の面の間の長さ）が、Ｕ×Ｎ（Ｎ＝４）個分の長さであり、内正面部１８ａと内背面部１８ｄ間の長さ（左側壁部内側の面と右側壁部の内側の面の間の長さ）が長さＵの２個分の長さを有している。また、箱体１０の収納部の縦方向（高さ方向）の長さは、仕切り３０の縦方向（高さ方向）の長さＬ２４と略同一となっている。
【００６２】
また、板状部２８の構成についても、長さＬ３０と長さＬ３２の比は、４：２（略４：２としてもよい）である以外は実施例１における板状部２８と同様の構成であるの詳しい説明を省略する。
【００６３】
また、仕切り３０’は、計４つの枠部４０Ｗ、５０Ｗ、７０Ｗ、８０Ｗを有するものであり、立設部３２と、立設部３２から連設された枠構成部４０、５０、７０、８０と、枠構成部４０、５０を立設部３２に固定するための固定部６０と、枠構成部７０、８０を立設部３２に固定するための固定部９０とを有している。つまり、枠部４０Ｗと枠部５０Ｗとが左右方向に間隔を介して設けられ、枠部７０Ｗと枠部８０Ｗとが左右方向に間隔を介して設けられ、枠部４０Ｗと枠部５０Ｗが前後方向に隣接して、枠部７０Ｗと枠部８０Ｗが前後方向に隣接している。仕切り３０の展開状態は、図８に示すように構成されている。
【００６４】
ここで、仕切り３０’は、立設部３２が長さＵの４倍の長さを有し、枠構成部７０、８０が、４つの板状部を有する点以外は実施例１の仕切り３０と同様の構成である。
【００６５】
すなわち、立設部３２の左右方向の長さは、板状部４２等の横方向の長さ（単位長さ）Ｕの４倍の長さと一致した（略一致したとしてもよい）長さを有している。つまり、正面板部３４と背面板部３６とは、単位長さのＮ倍（Ｎ＝４）の長さを有している。
【００６６】
また、枠構成部７０は、一列に折れ線を介して連設された板状部７２〜板状部７８を有し、枠構成部８０は、一列に折れ線を介して連設された板状部８２〜板状部８８を有している。つまり、枠構成部７０は、Ｍ２個（Ｍ２＝４）の板状部を有し、また、枠構成部８０は、Ｍ２個（Ｍ２＝４）の板状部を有している。
【００６７】
そして、枠構成部における隣接する板状部間の境界（例えば、枠構成部における角部）が横方向の外側から見て凹んでいない状態（立設部３２側に押し込まれていない状態）では、図６に示すように、２つの単位容積を有する２つの小間（枠部７０Ｗの小間と、枠部８０Ｗの小間）と１つの単位容積を有する４つの小間（枠部４０Ｗの小間と、枠部５０Ｗの小間と、枠部４０Ｗと枠部７０Ｗ間の小間と、枠部５０Ｗと枠部８０Ｗ間の小間）が形成される。
【００６８】
次に、小間の大きさ・形状を変更するには、枠構成部における隣接する板状部間の境界を立設部３２側に押し込んで板状部を立設部３２と重なり合った状態とする。つまり、板状部と正面板部３４又は背面板部３６とを重なり合わせることにより、枠構成部の角部を対角方向の角部と一致させたり、枠構成部における隣接する板状部間の境界が立設部３２に接するようにする。例えば、図９に示すように、板状部７６と板状部７８間の角部を立設部３２側に押し込んで、板状部７８が立設部３２（つまり、正面板部３４）に重なり合った状態とすることにより、該角部が正面板部３４に接した状態となり、また、板状部４４と板状部４６間の角部を立設部３２側に押し込んで、板状部４６が立設部３２（つまり、正面板部３４）に重なり合った状態とすることにより、該角部が板状部４２と正面板部３２間の角部と一致した状態となり、結果として、立設部３２の正面側には、１つの単位容積を有する小間ＫＭ３と、３つの単位容積を有する小間ＫＭ４が形成される。
【００６９】
また、板状部７４と板状部７６間の境界を立設部３２側に押し込んで、該境界を正面板部３４と板状部７２間の角部と一致させることにより、枠構成部７０による小間を除くことができる。同様に、板状部８４と板状部８６間の境界を立設部３２側に押し込んで、該境界を背面板部３６と板状部８２間の角部と一致させることにより、枠構成部８０による小間を除くことができる。
【００７０】
また、図６、図７に示す状態から、板状部７２と板状部７４間の角部を立設部３２側に押し込んで板状部７２が正面板部３４に重なった状態とし、板状部８２と板状部８４間の角部を立設部３２側に押し込んで板状部８２が背面板部３６に重なった状態とすることにより、仕切り３０’としては、４つの単位容積が小間が形成され、該仕切り３０’を箱体１０に収納することにより１つの単位容積の小間が計８個設けられた構成とすることができる。
【００７１】
以上のようにして、仕切り付き箱体Ｂにおいて、小間の数や大きさを変更することができる。
【００７２】
なお、上記の実施例１、実施例２の説明では、単位容積の小間が３×２＝計６個設けられる場合（図１参照）や、計６個の小間でそのうちの２つの小間が２つの単位容積を有する場合（図７参照）や、１つの単位容積の小間が計８個設けられた構成の場合について説明したが、これには限られず、上記Ｎは３以上の整数で、Ｍ１、Ｍ２は３以上の整数で、Ｎは、Ｍ１＋Ｍ２−３の値であれば、他の構成でもよく、例えば、Ｍ１とＭ２をそれぞれ４とすることにより、２つの単位容積を有する枠部を４つ構成し、各枠部を構成する枠構成部における箱体１０の収納部の角部に対応した角部（板状部間の境界）を立設部側に押し込むことにより、仕切りとしては、１つの単位容積を有する枠部を４つ形成し、箱体に収納することにより、結果として１つの単位容積の小間が計１０個設けられた構成とするするようにしてもよい。
【実施例３】
【００７３】
次に、実施例３の仕切り付き箱体について説明する。実施例３の仕切り付き箱体Ｃは、図１０〜図１３に示すように構成され、箱体１０と、箱体１０内に収納される仕切り（箱体用仕切り）１４０とを有している。
【００７４】
ここで、箱体１０は、箱本体部１１と、箱本体部１１の内底面に設けられる板状部２８とを有している。箱本体部１１と板状部２８とは、それぞれ紙材、特に、段ボール材により形成されている。この箱体１０の構成は、箱本体部１１の収納部の横方向の長手方向（左右方向）の長さＬ１０と、箱本体部１１の収納部の横方向の短手方向（前後方向）の長さＬ１２の比が、３：３（＝１：１）（略３：３としてもよい）である以外は実施例１の箱本体部１１と同様の構成であるので、詳しい説明を省略する。なお、箱体１０の収納部の横方向の長手方向の長さと、箱本体部１１の収納部の横方向の長手方向の長さとは同一であり、箱体１０の収納部の横方向の短手方向の長さと、箱本体部１１の収納部の横方向の短手方向の長さとは同一である。
【００７５】
また、箱体１０の収納部（すなわち、収納空間）の大きさは、仕切り１４０が丁度収まる大きさを有し、箱体１０の収納部の横方向の長手方向（左右方向）の長さＬ１０は、仕切り３０の横方向の長手方向の長さＬ２０と同一又は若干大きく形成され、箱体１０の収納部の横方向の短手方向（前後方向）の長さＬ１２は、仕切り３０の横方向の短手方向の長さＬ２２と同一又は若干大きく形成されている。つまり、箱体１０の収納部は、左右方向には、Ｕ×Ｎ（Ｎ＝３）個分の長さ（つまり、３つの単位容積分の長さ）を有し、前後方向には、Ｕの３個分の長さ（つまり、３つの単位容積分の長さ）を有している。つまり、内左側面部１８ｂと内右側面部１８ｃ間の長さ（正面壁部の内側の面と背面壁部の内側の面の間の長さ）が、Ｕ×Ｎ（Ｎ＝３）個分の長さであり、内正面部１８ａと内背面部１８ｄ間の長さ（左側壁部内側の面と右側壁部の内側の面の間の長さ）が長さＵの３個分の長さを有している。また、箱体１０の収納部の縦方向（高さ方向）の長さは、仕切り３０の縦方向（高さ方向）の長さＬ２４と略同一となっている。
【００７６】
また、板状部２８の構成についても、長さＬ３０と長さＬ３２の比は、３：３（略３：３としてもよい）である以外は実施例１における板状部２８と同様の構成であるの詳しい説明を省略する。
【００７７】
また、仕切り１４０は、計６つの枠部４０Ｗ、５０Ｗ、７０Ｗ、８０Ｗ、１１０Ｗ、１２０Ｗを有するものであり、１枚のシート状のブランク（具体的には段ボール（特に、両面段ボール））により形成され、第１構成部１４１と、第１構成部１４１とから連設された第２構成部１４２とを有している。仕切り１４０の展開状態は、図１２に示すように構成されている。
【００７８】
ここで、第１構成部１４１は、実施例１の仕切り３０と同様の構成であり、第１構成部１４１は、立設部３２と、立設部３２から連設された枠構成部４０、５０、７０、８０と、枠構成部４０、５０を立設部３２に固定するための固定部６０と、枠構成部７０、８０を立設部３２に固定するための固定部９０とを有している。つまり、枠部４０Ｗと枠部５０Ｗとが左右方向に間隔を介して設けられ、枠部７０Ｗと枠部８０Ｗとが左右方向に間隔を介して設けられ、枠部４０Ｗと枠部５０Ｗが前後方向に隣接して、枠部７０Ｗと枠部８０Ｗが前後方向に隣接している。
【００７９】
立設部３２は、正面板部３４と背面板部３６とを有し、枠構成部４０は、板状部４２、４４、４６を有し、枠構成部５０は、板状部５２、５４、５６を有し、固定部６０は、正面固定部６２と、背面固定部６４と、連結部６６とを有し、枠構成部７０は、板状部７２、７４、７６を有し、枠構成部８０は、板状部８２、８４、８６を有し、固定部９０は、正面固定部９２と、背面固定部９４と、連結部９６とを有している。
【００８０】
第１構成部１４１の構成は実施例１の仕切り３０と同様の構成であるので、詳しい説明を省略する。なお、第１構成部１４１を組み立てた状態において、正面固定部６２は、正面板部３４に接着され、背面固定部６４は、背面板部３６に接着され、連結部６６は、立設部３２の凹部３４Ｋ、３６Ｋ内に配置され、また、正面固定部９２は、正面板部３４に接着され、背面固定部９４は、背面板部３６に接着され、連結部９６は、立設部３２の凹部３４Ｋ、３６Ｋ内に配置される。
【００８１】
また、第２構成部１４２は、正面板部３４の下辺から折れ線を介して連設され水平方向（略水平方向としてもよい）に設けられた接続部１００と、接続部１００の正面板部３４とは反対側の辺部から折れ線を介して連設された板状部（支持板部）１０５と、板状部１０５の右側面側の辺部から連設された枠部１１０Ｗと、枠部１１０Ｗから連設された糊代部１１９と、板状部１０５の左側面側の辺部から連設された枠部１２０Ｗと、枠部１２０Ｗから連設された糊代部１２９とを有している。
【００８２】
ここで、接続部１００は、左右方向には、正面板部３４と同じ長さを有し、前後方向には、板状部４２等の横方向の長さＵと同一（略同一としてもよい）の長さに形成されている。接続部１００は、正面板部３４の下辺の全体に亘って折れ線によりつながっている。仕切り１４０を箱体１０内に設置した状態では、接続部１００は、板状部２８の上面に重なった状態となる。
【００８３】
また、板状部１０５は、板状部４２等の横方向の長さＵと同一（略同一としてもよい）の横方向の長さを有するとともに、縦方向（高さ方向）にも、板状部４２等と同一（略同一としてもよい）の長さを有している。
【００８４】
また、枠部（第１枠部）１１０Ｗは、板状部１０５の右側面側の端部から折れ線を介して連設され、板状部１１２、１１４、１１６、１１８が一列に形成されている。すなわち、枠部１１０Ｗは、板状部１０５の右側面側の端部から連設された板状部１１２と、板状部１１２の板状部１０５とは反対側の辺部から折れ線を介して連設された板状部１１４と、板状部１１４の板状部１１２とは反対側の辺部から折れ線を介して連設された板状部１１６と、板状部１１６の板状部１１４とは反対側の辺部から折れ線を介して連設された板状部１１８とを有している。また、糊代部１１９は、板状部１１８の板状部１１６とは反対側の辺部から連設され、台形形状に形成されている。板状部１１８と糊代部１１９間には折れ線は設けられておらず、板状部１１８と糊代部１１９とは全体に１枚の板状に形成されている。板状部１１２、１１４、１１６、１１８は、同大同形状に形成され正方形状を呈し、横方向に同じ長さを有していて、長さＵを有している。枠部１１０Ｗにおける板状部の数は、Ｍ３個（Ｍ３＝４（この４は、２の倍数で３以上の整数である））となっている。仕切り１４０の展開状態において、板状部１１２は接続部１００と直線状の切込みを介して隣接している。
【００８５】
糊代部（第１糊代部）１１９は、板状部１０５の背面側の面に接着され（板状部１１８と糊代部１１９の境界線が板状部１０５と板状部１１２の境界線と一致するように糊代部１１９が板状部１０５に接着されている）、これにより、板状部１１２〜１１８により枠状に形成され、板状部１１２と板状部１１６とが互いに平行になり、板状部１１４と板状部１１８とが互いに平行になる。
【００８６】
また、枠部（第２枠部）１２０Ｗは、板状部１０５の左側面側の端部から折れ線を介して連設され、板状部１２２、１２４、１２６、１２８が一列に形成されている。すなわち、枠部１２０Ｗは、板状部１０５の左側面側の端部から連設された板状部１２２と、板状部１２２の板状部１０５とは反対側の辺部から折れ線を介して連設された板状部１２４と、板状部１２４の板状部１２２とは反対側の辺部から折れ線を介して連設された板状部１２６と、板状部１２６の板状部１２４とは反対側の辺部から折れ線を介して連設された板状部１２８とを有している。また、糊代部１２９は、板状部１２８の板状部１２６とは反対側の辺部から連設され、台形形状に形成されている。板状部１２８と糊代部１２９間には折れ線は設けられておらず、板状部１２８と糊代部１２９とは全体に１枚の板状に形成されている。板状部１２２、１２４、１２６、１２８は、同大同形状に形成され正方形状を呈し、横方向に同じ長さを有していて、長さＵを有している。枠部１２０Ｗにおける板状部の数は、Ｍ４個（Ｍ４＝４（この４は、２の倍数で３以上の整数である））となっている。仕切り１４０の展開状態において、板状部１２２は接続部１００と直線状の切込みを介して隣接している。
【００８７】
糊代部（第２糊代部）１２９は、板状部１０５の背面側の面に接着され（板状部１２８と糊代部１２９の境界線が板状部１０５と板状部１２２の境界線と一致するように糊代部１２９が板状部１０５に接着されている）、これにより、板状部１２２〜１２８により枠状に形成され、板状部１２２と板状部１２６とが互いに平行になり、板状部１２４と板状部１２８とが互いに平行になる。
【００８８】
なお、正面板部３４と背面板部３６の左右方向の長さは、単位長さ×Ｎ（Ｎ＝３）の長さとなっていて、該Ｎの値は、３以上の整数で、（Ｍ１＋Ｍ２−３）（Ｍ１＝３、Ｍ２＝３）の値であるとともに、Ｌ＋（Ｍ３−２）／２＋（Ｍ４−２）／２以上の値（つまり、Ｌ＋（Ｍ３−２）／２＋（Ｍ４−２）／２の値）となっている。
【００８９】
次に、仕切り付き箱体Ｃの使用状態について説明する。仕切り付き箱体Ｃを使用するには、図１０に示すように、仕切り１４０を箱体１０の収納部内に収納して使用する。図１０の状態では、各枠構成部４０、５０、７０、８０及び枠部１１０Ｗ、１２０Ｗによる小間（すなわち、収納空間）とともに、枠構成部４０と枠構成部７０間に小間が形成され、枠構成部５０と枠構成部８０間に小間が形成され、さらに、枠部１１０Ｗと枠部１２０Ｗ間に小間が形成されて、３×３＝計９つの小間が形成される。９つの各小間の大きさは同一（略同一としてもよい）であり、図１０の状態における各小間の大きさを単位容積とする。
【００９０】
なお、箱体１０の収納部の大きさは、仕切り１４０が丁度収まるように形成されているので、図１０の状態（枠構成部における隣接する板状部間の境界（つまり、角部）が横方向の外側から見て凹んでいない状態（立設部３２側に押し込まれていない状態））では、枠構成部において箱体１０の内側の面に面した板状部と箱体１０の内側の面の間には隙間は形成されない。
【００９１】
次に、小間の大きさ・形状を変更するには、枠構成部における隣接する板状部間の境界を横方向の外側から見て凹んだ状態とし、板状部が立設部３２又は他の板状部と重なった状態とする。つまり、第１構成部１４１においては、枠構成部における隣接する板状部間の境界を立設部３２側に押し込んで板状部を立設部３２と重なり合った状態とし、第２構成部１４２においては、枠部１１０Ｗ、１２０Ｗにおける隣接する板状部間の境界を枠部における反対側に押し込むことにより、板状部を他の板状部と重なり合った状態とする。
【００９２】
例えば、図１３に示すように、第１構成部１４１においては、板状部５４と板状部５６間の境界（角部）を立設部３２側に押し込んで、板状部５６が立設部３２（つまり、背面板部３６）に重なり合った状態とすることにより、２つの角部が一致し、板状部５４と板状部５２とが重なり合って、枠部５０Ｗによる小間が除かれて、２つの単位容積を有する小間ＫＭ１１が形成される。
【００９３】
また、板状部７４と板状部７６間の境界（角部）を立設部３２側に押し込んで、板状部７６が立設部３２（つまり、正面板部３４）に重なり合った状態とすることにより、２つの角部が一致し、板状部７２と板状部７４とが重なり合って、枠部７０Ｗによる小間が除かれて、２つの単位容積を有する小間ＫＭ１２が形成される。
【００９４】
さらに、第２構成部１４２においては、板状部１１２と板状部１１４間の境界（角部）を枠部１１０Ｗにおける反対側（つまり、板状部１１８側）に押し込んで、板状部１１２が板状部１１８に重なり合った状態とすることにより、２つの角部が一致し、板状部１１４と板状部１１６とが重なり合って、枠部１１０Ｗによる小間が除かれて、２つの単位容積を有する小間ＫＭ１３が形成される。
【００９５】
なお、枠部１１０Ｗ、１２０Ｗにおいて、板状部１１８と糊代部１１９間や板状部１２８と糊代部１２９間には折れ線が形成されていないので、板状部１１６と板状部１１８間の角部を板状部１１２と板状部１１４間の角部側に押し込むことはできず、また、板状部１２６と板状部１２８間の角部を板状部１２２と板状部１２４間の角部側に押し込むことはできないが、板状部１１８と糊代部１１９間や板状部１２８と糊代部１２９間に折れ線を設けることにより、板状部１１６と板状部１１８間の角部や板状部１２６と板状部１２８間の角部を押し込むことができるようにしてもよい。
【実施例４】
【００９６】
また、上記実施例３は、実施例１の仕切り３０に第２構成部１４２を追加したものであるが、図１４の仕切り（箱体用仕切り）１４０’に示すように、実施例２の仕切り３０の構成の第１構成部１４１に図１４に示す第２構成部１４２を付加した構成としてもよい。
【００９７】
すなわち、第２構成部１４２は、正面板部３４の下辺から折れ線を介して連設された接続部１００と、接続部１００の正面板部３４とは反対側の辺部から折れ線を介して連設された板状部１０５と、板状部１０５の右側面側の辺部から連設された枠部１１０Ｗと、枠部１１０Ｗから連設された糊代部１１９と、板状部１０５の左側面側の辺部から連設された枠部１２０Ｗと、枠部１２０Ｗから連設された糊代部１３４とを有している。
【００９８】
ここで、接続部１００は、左右方向には、正面板部３４と同じ長さを有し、前後方向には、板状部４２等の横方向の長さＵと同一（略同一としてもよい）の長さに形成されている。接続部１００は、正面板部３４の下辺の全体に亘って折れ線によりつながっている。仕切り１４０’を箱体（仕切り１４０’を収納する箱体）内に設置した状態では、接続部１００は、箱体の内底面に設けられた板状部（板状部２８に相当する板状部）の上面に重なった状態となる。
【００９９】
また、板状部１０５は、板状部４２等の横方向の長さＵと同一（略同一としてもよい）の横方向の長さを有するとともに、縦方向（高さ方向）にも、板状部４２等と同一（略同一としてもよい）の長さを有している。なお、板状部１０５の横方向の長さは、単位長さＵのＪ倍（Ｊは１以上の整数）であればよい。
【０１００】
また、枠部（第１枠部）１１０Ｗは、板状部１０５の右側面側の端部から折れ線を介して連設され、板状部１１２、１１４、１１６、１１８が一列に形成されている。また、糊代部１１９は、板状部１１８の板状部１１６とは反対側の辺部から連設され、台形形状に形成されている。板状部１１８と糊代部１１９間には折れ線は設けられておらず、板状部１１８と糊代部１１９とは全体に１枚の板状に形成されている。板状部１１２、１１４、１１６、１１８は、同大同形状に形成され正方形状を呈し、横方向に同じ長さを有していて、長さＵを有している。枠部１１０Ｗにおける板状部の数は、Ｍ３個（Ｍ３＝４（この４は、２の倍数で３以上の整数である））となっている。
【０１０１】
糊代部（第１糊代部）１１９は、板状部１０５の背面側の面に接着され（板状部１１８と糊代部１１９の境界線が板状部１０５と板状部１１２の境界線と一致するように糊代部１１９が板状部１０５に接着されている）、これにより、板状部１１２〜１１８により枠状に形成され、板状部１１２と板状部１１６とが互いに平行になり、板状部１１４と板状部１１８とが互いに平行になる。
【０１０２】
また、枠部（第２枠部）１２０Ｗは、板状部１０５の左側面側の端部から折れ線を介して連設され、板状部１２２、１２４、１２６、１２８、１３０、１３２が一列に形成されている。また、糊代部１３４は、板状部１３０の板状部１２８とは反対側の辺部から連設され、台形形状に形成されている。板状部１３２と糊代部１３４間には折れ線は設けられておらず、板状部１３２と糊代部１３４とは全体に１枚の板状に形成されている。板状部１２２、１２４、１２６、１２８、１３０、１３２は、同大同形状に形成され正方形状を呈し、横方向に同じ長さを有していて、長さＵを有している。枠部１２０Ｗにおける板状部の数は、Ｍ４個（Ｍ４＝６（この４は、２の倍数で３以上の整数である））となっている。
【０１０３】
糊代部（第２糊代部）１３４は、板状部１０５の背面側の面に接着され（板状部１３２と糊代部１３４の境界線が板状部１０５と板状部１２２の境界線と一致するように糊代部１３４が板状部１０５に接着されている）、これにより、板状部１２２〜１３２により枠状に形成され、板状部１２２と板状部１２８とが互いに平行になり、板状部１２４、１２６と板状部１３０、１３２とが互いに平行となる。
【０１０４】
なお、正面板部３４と背面板部３６の左右方向の長さは、単位長さ×Ｎ（Ｎ＝４）の長さとなっていて、該Ｎの値は、３以上の整数で、（Ｍ１＋Ｍ２−３）の値であるとともに、Ｌ＋（Ｍ３−２）／２＋（Ｍ４−２）／２以上の値（つまり、Ｌ＋（Ｍ３−２）／２＋（Ｍ４−２）／２の値）となっている。
【０１０５】
また、仕切り１４０’を収納する箱体の収納部（すなわち、収納空間）の大きさは、仕切り１４０’が丁度収まる大きさを有し、左右方向に長さＵ×Ｎ（Ｎ＝４）個分の長さを有するとともに、前後方向には長さＵの３個分の長さを有している。つまり、内左側面部１８ｂと内右側面部１８ｃ間の長さ（正面壁部の内側の面と背面壁部の内側の面の間の長さ）が、Ｕ×Ｎ（Ｎ＝４）個分の長さであり、内正面部１８ａと内背面部１８ｄ間の長さ（左側壁部内側の面と右側壁部の内側の面の間の長さ）が長さＵの３個分の長さを有している。つまり、図７に示す箱本体１１において、Ｌ１０は、実施例２と同様に、長さＵの４個分の長さであるが、Ｌ１２は、長さＵの３個分の長さを有している。
【０１０６】
図１４の構成においては、実施例２と同様に、第１構成部１４１において、小間の大きさ・形状を変更することができるとともに、第２構成部１４２においても、枠部１１０Ｗ、１２０Ｗにおける隣接する板状部間の境界を枠部における反対側に押し込んで、板状部を他の板状部と重なり合った状態とすることにより、小間の大きさ・形状を変更することができる。
【０１０７】
例えば、板状部７２と板状部７４間の角部を立設部３２側に押し込んで板状部７２が正面板部３４に重なった状態とし、板状部８２と板状部８４間の角部を立設部３２側に押し込んで板状部８２が背面板部３６に重なった状態として、単位容積の小間を間隔を介して計４つ設け（つまり、背面列に２つの小間を設け、中央列に２つの小間を設ける）、さらに、板状部１２６と板状部１２８間の角部を枠部１２０Ｗにおける反対側に押し込んで、板状部１２８が板状部１３０に重なった状態とすることにより、正面列にも２つの小間（単位容積の小間）を間隔を介して２つ設けて、結果として、１つの単位容積の小間が計１２個（４×３＝１２個）設けられた構成とすることができる。
【０１０８】
また、枠部１１０Ｗ、１２０Ｗにおける隣接する板状部間の境界を枠構成部における反対側に押し込むことにより、板状部を他の板状部と重なり合った状態とする。例えば、板状部１１２と板状部１１４間の境界を枠部１１０Ｗにおける反対側（板状部１１６と板状部１１８の角部側）に押し込んで、板状部１１２が板状部１１８と重なり、板状部１１４が板状部１１６と重なった状態とすることにより枠部１１０Ｗによる小間を除くことができる。
【０１０９】
また、板状部１２２と板状部１２４間の境界を枠部１２０Ｗにおける反対側（板状部１３０と板状部１３２の境界側）に押し込んで、板状部１２２が板状部１３２と重なった状態とすることにより枠部１２０Ｗによる小間を小さくすることができ、また、板状部１２６と板状部１２８間の境界を枠構成部１２０Ｗにおける反対側（板状部１３０と板状部１３２の境界側）に押し込んで、板状部１２８が板状部１３０と重なった状態とすることにより枠部１２０Ｗによる小間を小さくして（単位容積１つ分の小間とする）、板状部１２６の左側面側に箱体の内側の面とともに単位容積１つ分の小間を形成できる。
【０１１０】
なお、実施例３のように、正面列と中央列と背面列の３つの列が設けられる場合においては、上記構成に限られず、上記Ｎは３以上の整数で、（Ｍ１＋Ｍ２−３）の値であるとともに、Ｌ＋（Ｍ３−２）／２＋（Ｍ４−２）／２以上の値であり、Ｍ１、Ｍ２は３以上の整数で、Ｍ３とＭ４は、２の倍数で３以上の整数であり、Ｌは１以上の整数であれば、
他の構成であってもよい。
【符号の説明】
【０１１１】
Ａ、Ｂ、Ｃ  仕切り付き箱体
１０  箱体
１１  箱本体部
１２  底面部
１３ａ  正面側構成部
１３ｂ  左側面側構成部
１３ｃ  右側面側構成部
１３ｄ  背面側構成部
１４ａ  外正面部
１４ｂ  外左側面部
１４ｃ  外右側面部
１４ｄ  外背面部
１６ａ、１６ｂ、１６ｃ、１６ｄ  帯状部
１８ａ  内正面部
１８ｂ  内左側面部
１８ｃ  内右側面部
１８ｄ  内背面部
２０ａ、２０ｂ、２０ｃ、２０ｄ  先端部
２８  板状部
３０、３０’、１４０、１４０’  仕切り
３２  立設部
３４  正面板部
３６  背面板部
４０、５０、７０、８０  枠構成部
４２、４４、４６、５２、５４、５６、７２、７４、７６、７８、８２、８４、８６、８８、１１２、１１４、１１６、１１８、１２２、１２４、１２６、１２８、１３０、１３２  板状部
６０、９０  固定部
６２、９２  正面固定部
６４、９４  背面固定部
６６、９６  連結部
４０Ｗ、５０Ｗ、７０Ｗ、８０Ｗ、１１０Ｗ、１２０Ｗ  枠部
１１９、１２９、１３４  糊代部
１４１  第１構成部
１４２  第２構成部
【図１】
0003193461.tif 000003
【図２】
0003193461.tif 000004
【図３】
0003193461.tif 000005
【図４】
0003193461.tif 000006
【図５】
0003193461.tif 000007
【図６】
0003193461.tif 000008
【図７】
0003193461.tif 000009
【図８】
0003193461.tif 000010
【図９】
0003193461.tif 000011
【図１０】
0003193461.tif 000012
【図１１】
0003193461.tif 000013
【図１２】
0003193461.tif 000014
【図１３】
0003193461.tif 000015
【図１４】
0003193461.tif 000016